(57)【特許請求の範囲】
【請求項１】
框の見込み面にスライド可能に配設し、前記框に対してスライドすることにより、開口枠に対して係合状態と非係合状態とに切り替わる係合手段と、
前記框の見込み面に形成した装着口から内部に挿入された状態で前記框の見付け方向に沿った内表面にネジ止めされ、前記框の外部に設けた操作部の操作によりスライダーを介して前記係合手段をスライドさせる作動機構と
を備えた錠装置において、
前記框の見込み面に形成した装着口から内部に挿入可能となる大きさを有し、予め設定した装着位置に配置されると前記框の見付け方向に沿った内表面と前記作動機構との間に介在して互いの間の隙間を埋めるライナー部と、
前記ライナー部の基端部から外方に向けて突出し、前記ライナー部を前記框の装着口から内部に挿入すると前記框の見込み面に係合することにより、前記ライナー部を前記装着位置に配置させる係合部と
を有したライナー部材を備え、
前記操作部と前記作動機構との間に前記框の見付け面を構成する部分及び前記ライナー部材のライナー部を介在させ、かつこれら框の見付け面を構成する部分及びライナー部を介して前記操作部の取付ネジを前記作動機構のネジ孔に螺合することにより、前記框の外部に前記操作部を取り付けるとともに、前記框の内部に前記作動機構を取り付けたことを特徴とする錠装置。
【請求項２】
前記係合手段は、前記框の見込み面にスライド可能に支持させたロッキングバーと、前記ロッキングバーに設けられ、前記ロッキングバーのスライドに伴って移動することにより、前記開口枠に設けたロック受部との相対位置が変更されるロックピンとを備えて構成したものであり、係合状態においては障子を閉めた状態で前記ロックピンを前記ロック受部に対向する位置に配置させ、前記ロックピンを前記ロック受部に当接させることにより、障子の開ける方向への移動を規制する一方、非係合状態においては障子を閉めた状態で前記ロックピンを前記ロック受部から退避した位置に配置させることを特徴とする請求項１に記載の錠装置。
【請求項３】
前記開口枠と前記框との間に請求項１または請求項２に記載の錠装置を適用したことを特徴とする建具。
【発明の詳細な説明】
【技術分野】
【０００１】
本発明は、錠装置及びこの錠装置を適用した建具に関するものである。
【背景技術】
【０００２】
開口枠に対してガラス窓等の障子を開閉可能に支持させた建具には、障子の戸先側に位置する縦框にハンドルを備え、このハンドルの操作により、開口枠と障子との間に係合手段を切替動作させるようにした錠装置を備えるものがある。係合手段は、例えば縦框の見込み面にスライド可能に配設されたロッキングバーと、このロッキングバーに設けられたロックピンとを備えて構成されており、縦框に対して上下にスライドすることにより、ロックピンが開口枠に対して係合状態と非係合状態とに切り替わるものである。
【０００３】
この種の錠装置では、障子の戸先側に位置する縦框の内部に作動機構が設けられている。作動機構は、縦框に形成した装着口から内部に挿入された状態で縦框の内表面にネジ止めされるユニットケースを備えるとともに、縦枠の見込み面にスライダーを備えており、スライダーを介して係合手段のロッキングバーに連係されている。
【０００４】
上記のように構成された錠装置では、ハンドルを一方側に操作すると、作動機構のスライダーを介してロッキングバーが縦框に対して例えば上方にスライドし、ロックピンが開口枠に係合した係合状態となるため、開口枠に対して障子を閉じた状態に維持することができる。一方、ハンドルを他方側に操作すると、作動機構のスライダーを介してロッキングバーが縦框に対して例えば下方にスライドし、ロックピンと開口枠との係合状態が解除された非係合状態となるため、障子を開方向に移動させれば、開口枠に対して障子を開けることができるようになる（例えば、特許文献１参照）。
【先行技術文献】
【特許文献】
【０００５】
【特許文献１】特開２００１−５５８５４号公報
【発明の概要】
【発明が解決しようとする課題】
【０００６】
この種の錠装置では、縦框の見込み面に一対のスライドガイドが設けられている。このスライドガイドは、係合手段のロッキングバー及びロックピンをスライド可能、かつ開口枠に対して係合状態となった場合にロッキングバーを介してロックピンの見込み方向の位置を維持するものである。スライドガイドは、例えば縦框の見込み面から互いに平行となるように外方に突出した後、互いに対向する方向に屈曲しており、ロッキングバーの上下方向に沿った移動を案内する一方、ロッキングバー及びロックピンの見込み方向に沿った移動を阻止している。
【０００７】
ここで、見込み面の両側縁部にスライドガイドを形成した縦框にあっては、スライドガイドを避けた位置に作動機構を挿入するための装着口を設けなければならない。このため、装着口から挿入した作動機構と縦框の内表面との間には、スライドガイドの分だけ隙間が生じることになる。互いの間に隙間が生じたままで作動機構を縦框の内表面にネジ止めした場合には、作動機構に変形が招来される恐れがあり、作動機構に正確な動作を期待することが困難となる。従って、作動機構を正確に動作させるには、縦框の内表面との間に生じた隙間をスペーサによって埋める必要がある。しかしながら、縦框の内部においては、内表面と作動機構との間にスペーサを位置決めしておくことが困難であり、建具の組み立て作業を著しく煩雑化する恐れがある。
【０００８】
上述の隙間を埋めるには、縦框の内表面にリブを設けておくことも考えられる。しかしながら、押し出し成形によって成形されるのが一般的である框にあっては、必要部分にのみリブを設けることができず、その全長に渡ってリブが設けられることになり、コストが著しく増大することになるため現実的ではない。加えて、框を四周框組みする場合には、このリブが邪魔となって、上框や下框を縦框に挿入するインロー方式を適用することができないという問題も招来する。
【０００９】
尚、上述した問題は、作動機構が縦框に設けられている場合に限らず、上框や下框に設けられている場合にも同様に起こり得るものである。
【００１０】
本発明は、上記実情に鑑みて、組み立て作業の煩雑化を招来することなく作動機構を良好に動作させることのできる錠装置及び建具を提供することを目的とする。
【課題を解決するための手段】
【００１１】
上記目的を達成するため、本発明に係る錠装置は、框の見込み面にスライド可能に配設し、前記框に対してスライドすることにより、開口枠に対して係合状態と非係合状態とに切り替わる係合手段と、前記框の見込み面に形成した装着口から内部に挿入された状態で前記框の見付け方向に沿った内表面にネジ止めされ、前記框の外部に設けた操作部の操作によりスライダーを介して前記係合手段をスライドさせる作動機構とを備えた錠装置において、前記框の見込み面に形成した装着口から内部に挿入可能となる大きさを有し、予め設定した装着位置に配置されると前記框の見付け方向に沿った内表面と前記作動機構との間に介在して互いの間の隙間を埋めるライナー部と、前記ライナー部の基端部から外方に向けて突出し、前記ライナー部を前記框の装着口から内部に挿入すると前記框の見込み面に係合することにより、前記ライナー部を前記装着位置に配置させる係合部とを有したライナー部材を備え、前記操作部と前記作動機構との間に前記框の見付け面を構成する部分及び前記ライナー部材のライナー部を介在させ、かつこれら框の見付け面を構成する部分及びライナー部を介して前記操作部の取付ネジを前記作動機構のネジ孔に螺合することにより、前記框の外部に前記操作部を取り付けるとともに、前記框の内部に前記作動機構を取り付けたことを特徴とする。
【００１２】
この発明によれば、框の装着口からライナー部材を挿入すれば、ライナー部を框の内表面と作動機構との間に介在させて両者の間の隙間を埋めることができる。
【００１３】
また、本発明は、上述した錠装置において、前記係合手段は、前記框の見込み面にスライド可能に支持させたロッキングバーと、前記ロッキングバーに設けられ、前記ロッキングバーのスライドに伴って移動することにより、前記開口枠に設けたロック受部との相対位置が変更されるロックピンとを備えて構成したものであり、係合状態においては障子を閉めた状態で前記ロックピンを前記ロック受部に対向する位置に配置させ、前記ロックピンを前記ロック受部に当接させることにより、障子の開ける方向への移動を規制する一方、非係合状態においては障子を閉めた状態で前記ロックピンを前記ロック受部から退避した位置に配置させることを特徴とする。
【００１４】
この発明によれば、ロックピンを開口枠のロック受部に当接させることにより、障子が開く方向に移動することを規制することができる。
【００１５】
また、本発明に係る建具は、開口枠と框との間に、上述したいずれかの錠装置を適用したことを特徴とする。
【００１６】
この発明によれば、上述した錠装置と同様の作用効果を奏することができる。
【発明の効果】
【００１７】
本発明によれば、框の装着口からライナー部材を挿入すれば、ライナー部を框の内表面と作動機構との間に介在させて両者の間の隙間を埋めることができる。従って、組み立て作業の煩雑化を招来することなく作動機構を框の内表面に保持させることができるため、作動機構を良好に動作させ、錠装置の正確な動作を確保できる。
【図面の簡単な説明】
【００１８】
【図１】図１は、本発明の実施の形態である建具を室内側から示した図である。
【図２】図２は、図１に示した建具の断面平面図である。
【図３−１】図３−１は、図１に示した建具の要部を戸先面側から示した分解斜視図である。
【図３−２】図３−２は、縦框の戸先面を示した要部拡大図である。
【図４−１】図４−１は、図１に示した建具の要部であって組み立て途中の状態を戸先面側から示した分解斜視図である。
【図４−２】図４−２は、図４−１の状態の縦框の戸先面を示した要部拡大図である。
【図５】図５は、図１に示した建具の要部を戸先面側から示した斜視図である。
【図６】図６は、図１に示した建具の錠装置に適用する作動機構をユニットケース側から示した斜視図である。
【図７】図７は、図６に示した作動機構の分解斜視図である。
【図８】図８は、図６に示した作動機構を取り付けた状態の縦框を示す断面側面図である。
【図９】図９は、図６に示した作動機構を取り付けた縦框の一部を破断して示す斜視図である。
【図１０−１】図１０−１は、図１に示した建具において縦框の装着口にライナー部材を挿入する状態を示す横断面図である。
【図１０−２】図１０−２は、図１に示した建具において縦框にライナー部材を取り付けた状態を示す横断面図である。
【図１０−３】図１０−３は、図１に示した建具の縦框を示す横断面図である。
【発明を実施するための形態】
【００１９】
以下、添付図面を参照しながら本発明に係る錠装置及び建具の好適な実施の形態について詳細に説明する。
【００２０】
図１及び図２は、本発明の実施の形態である錠装置を適用した建具を示したものである。ここで例示する建具は、アルミニウムの押し出し材である上枠１１、下枠１２及び一対の縦枠１３ａ，１３ｂを四周枠組みすることによって構成した開口枠１０と、アルミニウムの押し出し材である上框２１、下框２２及び一対の縦框２３ａ，２３ｂを四周框組みし、かつこれら上框２１、下框２２及び一対の縦框２３ａ，２３ｂの間にガラス板等の面材２４を配設することによって構成した障子２０とを備えて構成したものである。障子２０は、開口枠１０の内部に配置された場合に開口枠１０の開口を閉塞することのできる大きさに構成してある。本実施の形態の障子２０は、一方の縦框２３ｂと一方の縦枠１３ｂとの間に介在させたヒンジ１によって開口枠１０に支持させてあり、上下方向に沿ったヒンジ軸の軸心回りに回転することによって開口枠１０の開口を開閉することが可能である。
【００２１】
この障子２０には、図２及び図３−１に示すように、戸先側に位置する縦框２３ａにおいて開口枠１０の縦枠１３ａに対向する見込み面（以下、単に「戸先面２３ａ１」という）に一対のスライドガイド２５、装着口２６、一対の取付ネジ孔２７が設けてあるとともに、戸先側に位置する縦框（以下、「左縦框２３ａ」という）において室内側に位置する見付け面（以下、単に「室内側見付け面２３ａ２」という）に駆動軸挿通孔２８、一対のハンドル取付孔２９が設けてある。
【００２２】
一対のスライドガイド２５は、図２〜図５に示すように、左縦框２３ａの戸先面２３ａ１において室内側に位置する縁部に長手方向に沿って設けたもので、互いに平行となるように突出したガイド基部２５ａと、各ガイド基部２５ａの突出端縁から互いに対向する方向に屈曲した屈曲部２５ｂとを有している。これらのスライドガイド２５は、左縦框２３ａと一体であり、左縦框２３ａを押し出し成形する際に同時に成形したものである。装着口２６は、左縦框２３ａの高さ方向略中央となる部位に設けた貫通孔であり、戸先面２３ａ１において一対のスライドガイド２５の間に形成してある。図３−２及び図４−２に示すように、この装着口２６は、上下方向に沿った寸法が水平方向に沿った寸法よりも大きな長孔であり、水平方向に沿った幅がスライドガイド２５における屈曲部２５ｂの相互間隔よりもわずかに小さく形成してある。装着口２６を設ける位置は、一対の屈曲部２５ｂ相互間の長手方向中心線に対して一方側（図示の例では室内側）にオフセットしてある。一対の取付ネジ孔２７は、装着口２６の上下となる部位に設けた雌ネジ孔であり、一対の屈曲部２５ｂ相互間の長手方向中心線上に貫設してある。
【００２３】
室内側見付け面２３ａ２に設けた駆動軸挿通孔２８は、操作ハンドル（操作部）３０の駆動軸３１を挿通させるための貫通孔であり、装着口２６の中心に対応する高さ位置に形成してある。一対のハンドル取付孔２９は、操作ハンドル３０のブラケット３２に取り付けられるハンドル取付ネジ３３を挿通させるための貫通孔であり、駆動軸挿通孔２８の上下において装着口２６の形成範囲に対応する高さ位置に設けてある。
【００２４】
また、この障子２０には、図２〜図５に示すように、戸先側に位置する左縦框２３ａに錠装置１００が設けてある。錠装置１００は、開口枠１０の縦枠１３ａに設けたロック受部１１０に対して係合状態と非係合状態とに切り替わり、係合状態となった場合に開口枠１０に対して障子２０を閉じた状態に維持するためのもので、一対のロッキングバー１２０及び作動機構１３０を備えて構成してある。
【００２５】
ロッキングバー１２０は、スライドガイド２５におけるガイド基部２５ａの相互間に挿入される幅を有し、かつその両側縁部がスライドガイド２５の屈曲部２５ｂと戸先面２３ａ１との間隙に挿入される板厚を有した金属製のプレート状部材である。それぞれのロッキングバー１２０には、一方の端部に金属製のロックピン１２１が設けてあるとともに、他方の端部に連係孔１２２が設けてある。これらのロッキングバー１２０は、図４−１に示すように、連係孔１２２が形成された端部を互いに近接させ、かつロックピン１２１が外方に向けて突出した状態で左縦框２３ａの戸先面２３ａ１とスライドガイド２５との間に挿入し、上下方向に沿ってのみスライド可能となるように支持させてある。
【００２６】
作動機構１３０は、左縦框２３ａに対するロッキングバー１２０の位置をコントロールするもので、図６〜図９に示すように、ユニットケース１３１を備えている。ユニットケース１３１は、一対の本体ネジ孔１３２ａが設けられた金属板から成るケース本体１３２と、ケース本体１３２との間にピニオン１３３を収容し、本体ネジ孔１３２ａに対応する部位にネジ逃げ孔１３４ａが設けられた金属板から成るカバー部１３４とを有して薄型の矩形箱状に構成したもので、左縦框２３ａの外部から装着口２６を介して左縦框２３ａの内部に挿入することのできる大きさに形成してある。ケース本体１３２に形成した一対の本体ネジ孔１３２ａは、ハンドル取付ネジ３３が螺合される雌ネジ孔であり、ユニットケース１３１を装着口２６から左縦框２３ａの内部に挿入した場合に、一対のハンドル取付孔２９に対応する位置に形成してある。ピニオン１３３は、外周の一部にピニオン歯１３３ａを有したギア部材であり、その中心部に操作ハンドル３０の駆動軸３１が嵌合される矩形状の嵌合孔１３３ｂを有している。このピニオン１３３は、嵌合孔１３３ｂをケース本体１３２及びカバー部１３４の軸逃げ孔１３２ｂ，１３４ｂに合致させた状態で、これらケース本体１３２とカバー部１３４との間に回転可能に配設してある。
【００２７】
また、作動機構１３０は、フロントカバー１３５及びスライダー１３６を備えている。フロントカバー１３５は、カバープレート部１３５ａと一対のスカート部１３５ｂとを一体に形成した横断面がコの字状を成す金属製の長尺部材である。カバープレート部１３５ａは、スライドガイド２５における屈曲部２５ｂの相互間隔よりもわずかに小さい幅を有する一方、ユニットケース１３１の幅よりも十分に大きな長さを有した矩形の平板状を成すもので、一対の突部カシメ用孔１３５ｃ及び一対の取付ネジ逃げ孔１３５ｄを有している。一対の突部カシメ用孔１３５ｃは、カバープレート部１３５ａに形成した貫通孔であり、互いの間にユニットケース１３１の幅に対応した間隔を確保して形成してある。一対の取付ネジ逃げ孔１３５ｄは、互いの間に左縦框２３ａの戸先面２３ａ１に形成した取付ネジ孔２７に対応する間隔を確保して形成した貫設孔である。図には明示していないが、これら一対の突部カシメ用孔１３５ｃ及び一対の取付ネジ逃げ孔１３５ｄは、カバープレート部１３５ａの長手方向に沿った中心線に並設してある。
【００２８】
このカバープレート部１３５ａは、長手方向の中央部にユニットケース１３１を位置させた状態で、ケース本体１３２及びカバー部１３４のそれぞれに設けたカシメ用突部１３２ｃ，１３４ｃを突部カシメ用孔１３５ｃにカシメることによりユニットケース１３１に連結してある。カシメ用突部１３２ｃ，１３４ｃは、ケース本体１３２及びカバー部１３４の両端部から突設したもので、互いに並設した状態でフロントカバー１３５のカバープレート部１３５ａにカシメてある。尚、突部カシメ用孔１３５ｃにカシメ用突部１３２ｃ，１３４ｃをカシメたユニットケース１３１は、フロントカバー１３５のカバープレート部１３５ａに対してオフセットされている。
【００２９】
一対のスカート部１３５ｂは、カバープレート部１３５ａの両側縁部から互いに平行となるように延在した部分である。個々のスカート部１３５ｂにおいて長手方向の中央に位置する部分は、左縦框２３ａのスライドガイド２５よりも大きな高さを有し、一方、それぞれの両端に位置する部分は、自身の板厚とほぼ同じ程度のごく小さい高さを有するように構成してある。
【００３０】
スライダー１３６は、フロントカバー１３５において一対のスカート部１３５ｂの相互間隔よりも小さい幅を有し、かつフロントカバー１３５よりも長さの短い金属製のプレート状部材であり、ユニットケース１３１とフロントカバー１３５との間に配設してある。このスライダー１３６は、ケース本体１３２及びカバー部１３４のカシメ用突部１３２ｃ，１３４ｃに対応する部位に長手方向に沿ったスライド用長孔１３６ａを有しており、スライド用長孔１３６ａにカシメ用突部１３２ｃ，１３４ｃを挿通させることにより、フロントカバー１３５及びユニットケース１３１に対してフロントカバー１３５の長手方向に沿ってスライドすることが可能である。
【００３１】
スライダー１３６には、一対の連係ピン１３７及びラック１３８が設けてある。連係ピン１３７は、ロッキングバー１２０の連係孔１２２に嵌合することのできる大きさに形成した金属製の円柱状部材であり、スライダー１３６の両端部において互いに同一となる一方の表面からユニットケース１３１側に向けて突出している。ラック１３８は、先端辺部に複数のラック歯１３８ａが直線上に形成され、かつ基端辺部に一対のカシメ用爪片１３８ｂを備えた矩形の平板状部材である。このラック１３８は、先端辺部に形成したラック歯１３８ａをピニオン１３３に歯合させた状態でケース本体１３２とカバー部１３４との間にスライド可能に収容させ、かつカシメ用爪片１３８ｂをスライダー１３６のカシメ用孔１３６ｂにカシメることにより、スライダー１３６の長手方向中央部に取り付けてある。
【００３２】
上記のように構成した作動機構１３０では、ユニットケース１３１の外部からピニオン１３３を回転させると、ケース本体１３２とカバー部１３４との間においてラック１３８がスライドし、このラック１３８のスライドに伴ってスライダー１３６がユニットケース１３１とフロントカバー１３５との間で自身の長手方向に沿ってスライドすることになる。スライダー１３６のスライド方向は、ピニオン１３３の回転方向に対応して上下となる。この間、スライダー１３６は、フロントカバー１３５のカバープレート部１３５ａ及び一対のスカート部１３５ｂによって三方が覆われた状態にあり、一対のスカート部１３５ｂの相互間を覗かない限り、外部から視認できる構成にはない。
【００３３】
この作動機構１３０を左縦框２３ａに取り付けるには、ユニットケース１３１を装着口２６から左縦框２３ａの内部に挿入し、連係ピン１３７をロッキングバー１２０の連係孔１２２に嵌合させた状態で、フロントカバー１３５に形成した一対の取付ネジ逃げ孔１３５ｄを介してカバー取付ネジ１３９を左縦框２３ａの取付ネジ孔２７に締結し、さらに左縦框２３ａの室内側見付け面２３ａ２に操作ハンドル３０を取り付ければ良い。
【００３４】
この場合、この建具によれば、フロントカバー１３５に対してユニットケース１３１がオフセットされているため、装着口２６に対して作動機構１３０の向きが上下逆であると、フロントカバー１３５を一対の屈曲部２５ｂの間に挿入することができない。これにより、左縦框２３ａに対してユニットケース１３１を上下逆に取り付ける恐れがなくなり、左縦框２３ａの内表面２３ａ３に対してユニットケース１３１が常に予め設定した位置に配置されることになる。
【００３５】
また、スライダー１３６を左縦框２３ａの外部に配設する構成であるため、スライダー１３６の連係ピン１３７をロッキングバー１２０の連係孔１２２に嵌合させる作業も左縦框２３ａの外部で行うことができ、錠装置１００の組立作業をきわめて容易に実施することができる。
【００３６】
ところで、左縦框２３ａの戸先面２３ａ１には、一対のスライドガイド２５が設けてある。このため、装着口２６は、スライドガイド２５を避けた位置でなければ設けることができない。つまり、上述の左縦框２３ａにあっては、図１０−１の横断面に示すように、装着口２６の室内側に位置する開口位置を、左縦框２３ａの内表面２３ａ３に合致させることができず、左縦框２３ａの内表面２３ａ３よりも室外側に設けざるを得ない。こうした左縦框２３ａに対して単に装着口２６にユニットケース１３１を挿入させた場合には、ユニットケース１３１と左縦框２３ａの内表面２３ａ３との間に隙間が生じることとなる。
【００３７】
そこで、この建具では、図１０−１〜図１０−３に示すように、予め左縦框２３ａの装着口２６にライナー部材１４０を装着させておき、ユニットケース１３１と左縦框２３ａの内表面２３ａ３との間を埋めるようにしている。ライナー部材１４０は、図３−１に示すように、略矩形状を成すライナー部１４０ａと、ライナー部１４０ａの基端両端部から互いに離隔する方向に突設した一対の係合部１４０ｂとを一体に形成した金属製部材である。ライナー部１４０ａは、左縦框２３ａに形成した装着口２６の上下方向に沿った長さよりもわずかに短い幅を有し、かつ面外方向に適宜屈曲して形成したもので、図１０−２に示すように、一方の面１４０ａ１を左縦框２３ａの内表面２３ａ３に当接させた場合、他方の面１４０ａ２が装着口２６の室内側に位置する開口縁延長上に配置されるように構成してある。このライナー部１４０ａには、左縦框２３ａの室内側見付け面２３ａ２に形成した駆動軸挿通孔２８に対応する部位に切欠１４０ｃが形成してあるとともに、一対のハンドル取付孔２９に対応する部位にそれぞれハンドルネジ挿通孔１４０ｄが形成してある。一対の係合部１４０ｂは、図４−１及び図１０−１〜図１０−３に示すように、ライナー部１４０ａを装着口２６に挿入した場合にそれぞれ左縦框２３ａの戸先面２３ａ１に当接し、ライナー部１４０ａを左縦框２３ａの内部に位置決め配置させるものである。具体的には、ライナー部１４０ａを装着口２６から挿入し、一対の係合部１４０ｂを戸先面２３ａ１に当接させると、ライナー部１４０ａの一方の表面１４０ａ１が左縦框２３ａの内表面２３ａ３に当接し、かつ切欠１４０ｃ及び一対のハンドルネジ挿通孔１４０ｄがそれぞれ駆動軸挿通孔２８及び一対のハンドル取付孔２９に対向した装着位置に配置されることになる。
【００３８】
従って、装着口２６に予めライナー部材１４０を装着した状態で装着口２６からユニットケース１３１を左縦框２３ａの内部に挿入させれば、ライナー部材１４０によってユニットケース１３１と左縦框２３ａの内表面２３ａ３との間の隙間が埋められることになる。これにより、この状態から左縦框２３ａの室内側見付け面２３ａ２に操作ハンドル３０を装着してハンドル取付ネジ３３を本体ネジ孔１３２ａに螺合すれば、ユニットケース１３１に変形を招来することなく左縦框２３ａに操作ハンドル３０を取り付けるとともに、左縦框２３ａの内部にユニットケース１３１を取り付けることができる。
【００３９】
上記のようにして作動機構１３０を取り付けた錠装置１００では、操作ハンドル３０を回転操作すると、駆動軸３１に嵌合したピニオン１３３が回転し、ピニオン１３３に歯合したラック１３８が上下方向に沿って移動することになり、フロントカバー１３５と左縦框２３ａの戸先面２３ａ１との間に画成された移動空間においてスライダー１３６が同方向にスライドすることになる。スライダー１３６がスライドすると、ロッキングバー１２０が連動してスライドし、ロックピン１２１が左縦框２３ａに対して上下に移動することになり、開口枠１０の縦枠１３ａに設けたロック受部１１０（図２参照）に対して係合状態と非係合状態とに切り替わることになる。開口枠１０に対して障子２０を閉じた状態で係合状態になると、ロックピン１２１がロック受部１１０に当接することにより、開口枠１０に対して障子２０を開ける方向の移動が規制される。一方、非係合状態となった場合には、ロックピン１２１がロック受部１１０から退避した位置に配置されることになり、開口枠１０に対して障子２０を室外側に開けることができるようになる。
【００４０】
上述したように、この建具の錠装置１００に適用した作動機構１３０は、フロントカバー１３５を備えたものである。しかも、作動機構１３０を左縦框２３ａに取り付けた状態にあっては、フロントカバー１３５と左縦框２３ａの戸先面２３ａ１との間にスライダー１３６が配設されることになる。従って、開口枠１０に対して障子２０が開けた状態であっても、スライダー１３６が外部に露出することがない。これにより、建具の外観品質を損なう恐れがなく、またスライダー１３６のスライド部分やラック１３８とピニオン１３３との歯合部分等、操作動力伝達部にゴミ等の異物が進入する恐れがなくなる。
【００４１】
ここで、上述したフロントカバー１３５は、カバープレート部１３５ａと一対のスカート部１３５ｂとを一体に形成した横断面がコの字状を成すものである。従って、左縦框２３ａに対してフロントカバー１３５を取り付ける場合、カバー取付ネジ１３９の締結力が過剰となると、フロントカバー１３５に変形を招来する恐れがある。
【００４２】
このため、この建具では、図６〜図８及び図１０−３に示すように、ユニットケース１３１に支持部１５０を設け、これを左縦框２３ａの戸先面２３ａ１とフロントカバー１３５のカバープレート部１３５ａとの間に介在させるようにしている。支持部１５０は、ユニットケース１３１を構成するケース本体１３２とカバー部１３４との双方に構成したもので、それぞれのカシメ用突部１３２ｃ，１３４ｃに隣接する位置に形成した平板状部分である。この支持部１５０は、スライダー１３６のスライド用長孔１３６ａに挿通可能となる幅に構成してあり、スライド用長孔１３６ａを介して左縦框２３ａの戸先面２３ａ１とフロントカバー１３５のカバープレート部１３５ａとの間に介在している。支持部１５０の突出端は、フロントカバー１３５に形成した取付ネジ逃げ孔１３５ｄの開口周縁に位置し、カバー取付ネジ１３９の頭部との間においてフロントカバー１３５のカバープレート部１３５ａを挟持した状態にある。
【００４３】
上記のように、左縦框２３ａの戸先面２３ａ１とフロントカバー１３５のカバープレート部１３５ａとの間に支持部１５０を介在させるように構成した錠装置１００にあっては、カバー取付ネジ１３９の締結力が過剰となった場合にも、フロントカバー１３５のカバープレート部１３５ａが変形する恐れがない。しかも、支持部１５０は、スライダー１３６のスライド用長孔１３６ａにおいてカバー取付ネジ１３９に並設された状態となり、スライダー１３６のスライドを何ら妨げることもない。これらの結果、スライダー１３６の良好なスライドが確保され、錠装置１００の操作性も良好となる。
【００４４】
尚、上述した実施の形態では、開口枠１０に対して障子２０が上下方向に沿ったヒンジ軸の軸心回りに回転することによって開閉するものを例示しているが、水平方向に沿ったヒンジ軸の軸心回りに回転することによって開閉するものであっても良いし、開口枠１０に対してスライドすることによって開閉するものでも構わない。この場合、作動機構１３０を設ける位置も、左縦框２３ａに限らない。また、係合手段として一対のロッキングバー１２０を備えたものを例示しているが、ロッキングバー１２０を唯一備えて係合手段を構成しても良い。
【符号の説明】
【００４５】
１０      開口枠
１１      上枠
１２      下枠
１３ａ，１３ｂ      縦枠
２０      障子
２１      上框
２２      下框
２３ａ，２３ｂ      縦框
２５      スライドガイド
２６      装着口
３０      操作ハンドル
１００      錠装置
１１０      ロック受部
１２０      ロッキングバー
１２１      ロックピン
１３０      作動機構
１３１      ユニットケース
１３２      ケース本体
１３２ｃ，１３４ｃ      カシメ用突部
１３４      カバー部
１３５      フロントカバー
１３６      スライダー
１３８      ラック
１４０      ライナー部材
１４０ａ      ライナー部
１４０ｂ      係合部
１５０      支持部
【図１】
0005394326.tif 000002
【図２】
0005394326.tif 000003
【図３−１】
0005394326.tif 000004
【図３−２】
0005394326.tif 000005
【図４−１】
0005394326.tif 000006
【図４−２】
0005394326.tif 000007
【図５】
0005394326.tif 000008
【図６】
0005394326.tif 000009
【図７】
0005394326.tif 000010
【図８】
0005394326.tif 000011
【図９】
0005394326.tif 000012
【図１０−１】
0005394326.tif 000013
【図１０−２】
0005394326.tif 000014
【図１０−３】
0005394326.tif 000015